(57)【要約】【課題】早送り再生時の速度倍率に応じて適切な表示制御を実行する画像再生装置を提供する。【解決手段】システムコントローラ１１は、リモートコントロールマネージャ１５から早送り再生の指示を通知されると、第１に、その再生速度の倍率が所定の倍率以上かどうかを調べ、画面分割を行う必要があるかどうかを判断する。もし、画面分割が必要であると判断した場合、システムコントローラ１１は、第２に、その再生速度の倍率に基づき、画面の分割数を決定する。そして、システムコントローラ１１は、この画面分割の要否および分割数に基づく指示をＧＵＩマネージャ１２に通知する。【選択図】      図２
2006100982.tif 000002
【特許請求の範囲】
【請求項１】
符号化された動画像データを再生する再生手段と、
前記再生手段により再生された動画像データを表示領域全体を使って全画面表示する第１の表示手段と、
前記再生手段により再生された動画像データを表示領域を分割した複数の部分領域に時系列に並べるように分割画面表示する第２の表示手段と、
前記再生手段による前記動画像データの再生速度を指示する指示手段と、
前記指示手段により指示された再生速度の倍率が所定の倍率未満の場合、前記第１の表示手段による全画面表示が行われ、前記所定の倍率以上の場合、前記第２の表示手段による分割画面表示が行われるように前記第１および第２の表示手段を駆動制御する表示制御手段と
を具備することを特徴とする画像再生装置。
【請求項２】
前記第２の表示手段は、表示領域の分割数を設定する手段を有することを特徴とする請求項１記載の画像再生装置。
【請求項３】
前記第２の表示手段は、前記複数の部分領域がマトリックス状に配置されるように前記表示領域を分割し、前記再生手段により再生された動画像データを所定の順序で巡回的に前記複数の部分領域に並べていくことを特徴とする請求項１記載の画像再生装置。
【請求項４】
前記表示制御手段は、前記指示手段により指示された再生速度の倍率に基づき、前記表示領域の分割数を決定して前記第２の表示手段に設定させる手段を有することを特徴とする請求項２記載の画像再生装置。
【請求項５】
前記表示制御手段は、前記指示手段により指示された再生速度の倍率が大きくなるにしたがって、前記表示領域の分割数を段階的に多くしていくことを特徴とする請求項４記載の画像再生装置。
【請求項６】
前記表示制御手段は、前記指示手段により指示された再生速度の倍率が小さくなるにしたがって、前記表示領域の分割数を段階的に少なくしていくことを特徴とする請求項４記載の画像再生装置。
【請求項７】
前記再生手段による動画像データの再生を一時的に停止させる一時停止手段と、
前記第２の表示手段による分割画面表示中に前記一時停止手段により前記再生手段による動画像データの再生を一時的に停止させた際、前記複数の部分領域に時系列に並べられた複数の画像の中から所望の画像を選択する選択手段と、
前記選択手段により選択された画像から前記再生手段による動画像データの再生を標準速度で再開させる再開手段と
をさらに具備することを特徴とする請求項１記載の画像再生装置。
【請求項８】
前記表示制御手段は、前記再開手段により前記再生手段による動画像データの再生が標準速度で再開された場合、前記第２の表示手段による分割画面表示から前記第１の表示手段による全画面表示に切り換わるように前記第１および第２の表示手段を駆動制御することを特徴とする請求項７記載の画像再生装置。
【請求項９】
符号化された動画像データの再生速度を指示を受け付け、
前記指示された再生速度の倍率が所定の倍率未満の場合、前記再生した動画像データを表示領域全体を使って全画面表示し、
前記指示された再生速度の倍率が前記所定の倍率以上の場合、前記再生した動画像データを表示領域を分割した複数の部分領域に時系列に並べるように分割画面表示する
ことを特徴とする画像再生方法。
【請求項１０】
前記指示された再生速度の倍率が大きくなるにしたがって、前記表示領域の分割数を段階的に多くしていくことを特徴とする請求項９記載の画像再生方法。
【請求項１１】
前記分割画面表示中に前記動画像データの再生を一時的に停止させ、前記複数の部分領域に時系列に並べられた複数の画像の中から所望の画像を選択し、
前記選択した画像から前記画像データの再生を標準速度で再開させる
ことを特徴とする請求項９記載の画像再生方法。
【発明の詳細な説明】
【技術分野】
【０００１】
この発明は、例えばＨＤＤレコーダやＤＶＤレコーダなどにおける動画像データの表示制御技術に関する。
【背景技術】
【０００２】
近年の圧縮符号化技術や画像処理技術の向上に伴い、アナログ信号で磁気テープに動画像を記録するビデオテープレコーダに代わり、デジタル信号で磁気ディスクに動画像を記録するＨＤＤレコーダやＤＶＤレコーダが普及し始めている。
【０００３】
この種のレコーダでは、演算処理によって動画像を自在に編集できるので、例えばサイズを縮小して複数の画像を同一画面上に同時表示することも可能である（例えば特許文献１等参照）。例えばいわゆる早送り再生が行われた場合に、複数の画像を時系列に並べれば、所望のシーンを見つけ易くなるなど、その使い勝手を向上させることができる。
【特許文献１】特開２００２−１２５１９０号公報
【発明の開示】
【発明が解決しようとする課題】
【０００４】
ところで、最近のレコーダでは、早送り再生時における再生速度の倍率を多段階に切り換える機能を備えるのが一般的となってきている。したがって、この再生速度の倍率に関わらずに、早送り再生時において同時表示する画像数を一律に固定すると、却ってユーザの使い勝手を損なうことがある。
【０００５】
例えば、「低倍率の再生速度で早送り再生する場合には、通常の再生時と同様、１つの画像のみを全画面表示して欲しい」や「高倍率の再生速度で早送り再生する場合には、さらにサイズを縮小してより多くの数の画像を同時表示して欲しい」といったことが強く要望されている。
【０００６】
この発明は、このような事情を考慮してなされたものであり、早送り再生時の速度倍率に応じて適切な表示制御を実行する画像再生装置および画像再生方法を提供することを目的とする。
【課題を解決するための手段】
【０００７】
前述した目的を達成するために、この発明の画像再生装置は、符号化された動画像データを再生する再生手段と、前記再生手段により再生された動画像データを表示領域全体を使って全画面表示する第１の表示手段と、前記再生手段により再生された動画像データを表示領域を分割した複数の部分領域に時系列に並べるように分割画面表示する第２の表示手段と、前記再生手段による前記動画像データの再生速度を指示する指示手段と、前記指示手段により指示された再生速度の倍率が所定の倍率未満の場合、前記第１の表示手段による全画面表示が行われ、前記所定の倍率以上の場合、前記第２の表示手段による分割画面表示が行われるように前記第１および第２の表示手段を駆動制御する表示制御手段とを具備することを特徴とする。
【０００８】
また、この発明の画像再生方法は、符号化された動画像データの再生速度を指示を受け付け、前記指示された再生速度の倍率が所定の倍率未満の場合、前記再生した動画像データを表示領域全体を使って全画面表示し、前記指示された再生速度の倍率が前記所定の倍率以上の場合、前記再生した動画像データを表示領域を分割した複数の部分領域に時系列に並べるように分割画面表示することを特徴とする。
【発明の効果】
【０００９】
この発明によれば、早送り再生時の速度倍率に応じて適切な表示制御を実行する画像再生装置および画像再生方法を提供することができる。
【発明を実施するための最良の形態】
【００１０】
以下、図面を参照して、この発明の実施の形態を説明する。ここでは、本発明の画像再生装置および画像再生方法をＨＤＤレコーダとして実現した例を示す。
【００１１】
図１は、本発明の一実施形態に係るＨＤＤレコーダのハードウェア構成の一部を示す図である。図１に示すように、本実施形態のＨＤＤレコーダは、ＣＰＵ１、ＶＧＡ２、ＭＰＥＧデコーダ３、ＨＤＤ４および赤外線受光部５を有している。
【００１２】
ＣＰＵ１は、このＨＤＤレコーダ全体、つまりＶＧＡ２、ＭＰＥＧデコーダ３、ＨＤＤ４および赤外線受光部５の制御を司る制御回路である。ＶＧＡ２は、動画像データを表示制御するグラフィックス回路であり、動画像データを全画面表示する基本機能のほか、指示された数に表示領域を分割し、動画像データを時系列に並べるように複数の部分領域に順次に分割画面表示する拡張機能を有している。
【００１３】
ＭＰＥＧデコーダ３は、圧縮符号化された動画像データを再生する伸長復号化回路であり、標準の速度で動画像データを再生する標準機能のほか、指示された倍率の速度で動画像データを再生する拡張機能を有している。ＨＤＤ４は、データ記録媒体であり、図示されないチューナおよびＭＰＥＧエンコーダにより受信および圧縮符号化されたテレビジョン放送番組の動画像データを格納する。そして、赤外線受光部５は、このＨＤＤレコーダを遠隔操作するために用意されたリモートコントローラからの赤外線信号を受光し、その内容をＣＰＵ１に伝達する。
【００１４】
また、図２は、このＨＤＤレコーダのソフトウェア構成の一部を示す図である。図２に示すように、このＨＤＤレコーダでは、システムコントローラ１１、ＧＵＩマネージャ１２、デコーダマネージャ１３、ファイルマネージャ１４およびリモートコントロールマネージャ１５が動作する。
【００１５】
ＧＵＩマネージャ１２は、ＶＧＡ２を駆動制御するためのソフトウェア、デコーダマネージャ１３はＭＰＥＧデコーダ３を駆動制御するためのソフトウェア、ファイルマネージャ１４はＨＤＤ４に対するアクセスを制御するためのソフトウェア、リモートコントローラマネージャ１５は赤外線受光部５を介してユーザからの指示を受け付けるためのソフトウェアであり、システムコントローラ１１は、これらの各ソフトウェアを一元的に制御するための上位ソフトウェアである。
【００１６】
いま、再生速度の倍率変更を指示する赤外線信号が赤外線受光部５によって受光されたものとする。この指示は、リモートコントロールマネージャ１５によって認識され、システムコントローラ１１に通知される（図２の（１））。一方、この通知を受けたシステムコントローラ１１は、まず、その指示された倍率の速度で動画像データの再生を行うようにデコーダマネージャ１３に指示する（図２の（２））。そうすると、その倍率の速度を満たす間隔でデコーダマネージャ１３から動画像データの読み出し要求が発行されるようになるので、システムコントローラ１１は、この読み出し要求をファイルマネージャ１４に仲介する（図２の（３））。デコーダマネージャ１３は、例えば１０倍速程度以上の早送り再生の場合、Ｉピクチャのみを再生するモードにＭＰＥＧデコーダ３を設定する。そこで、この１０倍速程度以上の早送り再生の場合、システムコントローラ１１は、Ｉピクチャの要求間隔をデコーダマネージャ１３に指示する。
【００１７】
また、このデコーダマネージャ１３に対する指示と並行して、システムコントローラ１１は、指示された倍率の速度で早送り再生を行うにあたり、第１に、画面を分割して複数の画像を並べる必要があるかどうかを判定し、第２に、分割が必要な場合、その分割数をいくつにするかを判定する。判定は、指示された倍率に基づいて行われ、ここでは、１０倍速以上の場合に分割し、さらに、１０〜１００倍速では６分割、３００〜６００倍速では９分割と段階的にその分割数を変えていく。システムコントローラ１１は、このように判定した結果をＧＵＩマネージャ１２に通知し（図２の（４））。この通知を受けたＧＵＩマネージャ１２は、デコーダマネージャ１３が再生した動画像データが通知された画面構成で表示されるようにＶＧＡ２を設定する。
【００１８】
これにより、ただ単純に早送り時には画面を所定数に分割して表示するといった制御ではなく、図３に示すように、第１に、例えば８倍速までの早送りについては通常の再生時と同様に全画面表示が行われ（Ａ）、第２に、１０倍速以上の早送り再生では、まず、画面が２行×３列の６つに分割されて各画像が左から右、上から下へと時系列に並べるように分割画面表示が行われ（Ｂ）、さらに、３００倍速以上の早送り再生になると、画面が３行×３列の９つに分割されて各画像が左から右、上から下へと時系列に並べるように分割画面表示が行われる（Ｃ）、といったより好適な表示制御が実現される。なお、（Ａ）と（Ｂ）の間や（Ｂ）と（Ｃ）の間、例えば９倍速や２００倍速での早送り再生は、このＨＤＤレコーダでは行えず、考慮する必要がないものとする。
【００１９】
ところで、例えば３００倍速で早送り再生を行うと、画面が９分割されて動画像データが表示されることになるが、その画面遷移は図４に示すようになる。つまり、第１〜第９フレームの９枚の画像が並べられている状態で、１／９秒が経過すると、第１フレームが３００秒目の第１０フレームに置き換わり、さらに１／９秒が経過すると、その隣の第２フレームが第１１フレームに置き換わる。その結果、１秒毎に９枚すべての画像が置き換わることになる。従って、ユーザは、１秒間に５分間相当の動画像データが表示される状況の中で、所望のシーンを捜し当てて通常再生を再開することになる。
【００２０】
しかしながら、このような高速な倍率での早送り再生の場合、所望のシーンが見つかったと思った時点と何らかの操作をリモートコントローラ上で行う時点とのタイムラグの影響が大きく、所望のシーンからのオーバーテイク幅も無視できないので、まき戻しを行ってから通常の再生を再開しているのが実情である。そこで、このＨＤＤレコーダでは、一時停止操作が行われた際、高速な倍率での早送り再生においては、過去分を含む複数の画像が表示された状態で一時停止することになる点に着目し、その中から通常再生の開始点とする画像を任意に選択できるようにした。
【００２１】
例えばリモートコントローラ上で一時停止操作を行った結果、図５に示すように、第３４フレームが最後に表示された時点で３００倍速での早送り再生が一時停止したものとする。ところが、この第３４フレームは、オーバーテイクした位置であって、ユーザが意図したシーンは第３２フレームであったとする。この場合、ユーザは、最後に表示された第３４フレームの画像にセットされているフォーカスを、例えばリモートコントローラ上に設けられた十字キーなどの方向ボタンで第３２フレームの画像に移動させ、その上で、再生再開の操作を行う。この指示を受けたＨＤＤレコーダは、一時停止操作時に表示した第３４フレームからではなく、第３２フレームからの再生を再開する。これにより、従来のような煩わしいまき戻し操作を不要とすることができる。
【００２２】
図６は、このＨＤＤレコーダの早送り再生時における動作手順を示すフローチャートである。
【００２３】
リモートコントローラからの早送り指示を赤外線受光部５が受信した旨をリモートコントロールマネージャ１５から通知されると（ステップＳ１）、システムコントローラ１１は、まず、要求された倍速で早送り再生するためのＩピクチャの要求間隔をＭＰＥＧデコーダ３に設定する旨をデコーダマネージャ１３に指示する（ステップＳ２）。また、システムコントローラ１１は、その倍速での早送り再生に当たって、画面を分割する必要があるかどうかを分割数を含めて判定する（ステップＳ３）。
【００２４】
もし、画面を分割する必要があれば（ステップＳ３のＹＥＳ）、システムコントローラ１１は、その画面分割数をＶＧＡ２に設定する旨をＧＵＩマネージャ１２に指示する（ステップＳ４）。一方、画面を分割する必要がなければ（ステップＳ３のＮＯ）、システムコントローラ１１は、画面分割解除をＶＧＡ２に設定する旨をＧＵＩマネージャ１２に指示する（ステップＳ５）。この解除設定は、例えば８倍速での早送り再生の指示がなされた際、元々１０倍速での早送り再生を行っていたような場合に有効となる。
【００２５】
ＭＰＥＧデコーダ３からのＩピクチャデータ要求がデコーダマネージャ１３から通知されると（ステップＳ６のＹＥＳ）、システムコントローラ１１は、その倍速での早送り再生で表示されるべき次の表示画像のデータ位置を計算し（ステップＳ７）、ＨＤＤ４からの読み出しをファイルマネージャ１４に指示する（ステップＳ８）。そして、この動画像データが読み出されると、システムコントローラ１１は、その動画像データをＭＰＥＧデコーダ３に再生させるべくデコーダマネージャ１３に転送し（ステップＳ９）、デコード後の動画像データをＶＧＡ２に表示制御させるべくＧＵＩマネージャ１２に転送する（ステップＳ１０）。
【００２６】
そして、システムコントローラ１１は、ＭＰＥＧデコーダ３からのＩピクチャデータ要求が一定時間以上途絶えると（ステップＳ６のＮＯ）、この処理を終了する。
【００２７】
以上のように、このＨＤＤレコーダによれば、ある倍速未満の早送り再生については通常通りの全画面表示を行い、ある倍速以上の早送り再生については、その倍率に応じて分割数を段階的に多くしつつ分割画面表示が行われることになる。また、高速の早送り再生においては、一時停止時に表示中の複数の画面の中から所望の画像を再生再開の開始点として選択することを可能とする。
【００２８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２９】
【図１】本発明の実施形態に係るＨＤＤレコーダのハードウェア構成の一部を示す図
【図２】同実施形態のＨＤＤレコーダのソフトウェア構成の一部を示す図
【図３】同実施形態のＨＤＤレコーダの早送り再生時における画面の分割制御を説明するための図
【図４】同実施形態のＨＤＤレコーダの早送り再生時における分割画面表示の遷移を示す図
【図５】同実施形態のＨＤＤレコーダが可能とする再生再開点の選択を説明するための図
【図６】同実施形態のＨＤＤレコーダの早送り再生時における動作手順を示すフローチャート
【符号の説明】
【００３０】
１…ＣＰＵ、２…ＶＧＡ、３…ＭＰＥＧデコーダ、４…ＨＤＤ、５…赤外線受光部、１１…システムコントローラ、１２…ＧＵＩマネージャ、１３…デコーダマネージャ、１４…ファイルマネージャ、１５…リモートコントロールマネージャ。
【図１】
2006100982.tif 000003
【図２】
2006100982.tif 000004
【図３】
2006100982.tif 000005
【図４】
2006100982.tif 000006
【図５】
2006100982.tif 000007
【図６】
2006100982.tif 000008